(57)【要約】      （修正有）【課題】もぐさの点火には、従来線香が用いられていたが、発煙や灰の産生をともない、経時的消滅を免れないため、線香への頻繁な着火が要求されていた。また、電熱線を用いたこれまでの点火装置は、両手でもぐさを形成する動作ならびに点火後の熱感緩和動作および鎮火動作ができないものであり、効率的で安全な施灸を行うことは困難であった。電熱線を効率的に取り替えられない点も臨床の実際に対応しないものであった。これら課題を解決可能な安全で多様な収納および携帯を提供する。【解決手段】第２、３指基節部で保持できる本体１により、施灸における連続動作を可能としたもので、電池保持部と連結した本体保持部４により、使用環境にあわせて多様な携帯が可能で、発熱体３の迅速かつ確実な交換を可能にしたもぐさ用点火装置。【選択図】図１
2011194199.tif 000002
【特許請求の範囲】
【請求項１】
電源供給口であるジャックを側面に設け、発熱体保持部を先端に、スイッチを先端近傍に、主電源スイッチを側面に、内蔵電池保持部とマイコンならびに抵抗器を内部に設けた本体と、最少単位で構成され着脱容易な発熱体と、電源である電池と、電池を保持する電池保持部と、前記電池保持部と連結され、突起部を設けた本体保持部から構成される一体型ケースと、前記本体を指の間で保持し、指のわずかな動きで電源のオンオフを可能とすることを特徴とするもぐさ用点火装置。
【請求項２】
交換容易で最少の構成からなる発熱体を設けた請求項１に記載のもぐさ用点火装置。
【請求項３】
指の間で保持できる形状を特徴とする請求項１に記載のもぐさ用点火装置。
【請求項４】
ジャックを側面に設け、コードが手の背面を通るように配置したことを特徴とする請求項１記載のもぐさ用点火装置。
【請求項５】
請求項１、２、３および４に記載のもぐさ用点火装置を用いて、もぐさの尖端部に当接、着火して施灸を行う施灸方法。
【請求項６】
多様な形態が可能となるよう電池保持部と本体保持部を配置したことを特徴とする請求項１記載のもぐさ用点火装置。
【請求項７】
本体に内蔵電池保持部を設けた請求項１記載のもぐさ用点火装置。
【発明の詳細な説明】
【技術分野】
【０００１】本発明は、施灸に使用するもぐさの点火装置に関するものである。
【背景技術】
【０００２】
2011194199.tif 000003
をもった対側の手で必要な長さ分を切り取り、その手の第１指と第２指で円錐状に形成
2011194199.tif 000004
作の際の安定性を確保し被施術者の不意の動きに備えた上で、手首を屈曲させることにより、第２指と第３指あるいは代３指と第４指の基節部ないし中節部で保持した線香の先端
2011194199.tif 000005
はこの他に、施灸部位周辺を指で圧迫する熱感の緩和動作もおこなわれる。（以上、非特許文献１、２参照）これら一連の動作のために、線香の形状と軽さは、多くの利点を有するものであった。【０００３】  また、これまで発熱体を用いてもぐさを燃焼させる装置が発明されている。（例えば、特許文献１、２参照）
【先行技術文献】
【特許文献】
【０００４】
【特許文献１】特開２００１−０９５８９５
【特許文献２】特開２００６−０８１６３１
【非特許文献】
【０００５】
【非特許文献１】教科書委員会著「はりきゅう実技基礎編」医道の日本社、１９９２年４月１日、ｐ．３２〜３７
【非特許文献２】教科書委員会著「はりきゅう理論」医道の日本社、２００２年３月１５日発行、ｐ．２４〜２５
【発明の開示】
【発明が解決しようとする課題】
【０００６】  しかしながら、従来施灸に用いられてきた線香は、その性質上、燃焼時には発煙を伴い、経時的に全長が短縮するため絶えず持ち替えが必要となっていた。また、灰の産生を伴うために常にこれを払わねばならないなど欠点があった。同時に、線香が使用不可能な長さにまで燃焼すると、新たな線香に着火する必要があるため、施灸動作の流れを大きく妨げる問題があり、同時に落下によるリスクを常に孕んでいた。【０００７】
2011194199.tif 000006
続的な動作をおこなうことは不可能であり、点火後の熱感の緩和および鎮火動作も行えないため、臨床の実際に対応するものとは言えなかった。【０００８】また、発熱体を利用した上記従来の装置には、柄を備え把持させるものがあったが、その特徴により手のゆらぎが先端の発熱部で増幅され、統制が困難であるため危険をともない、臨床上の使用には安全面で問題があった。とくに指先や肘、踵、くるぶし周辺などの身体の凸部への施灸においては、近接される発熱体が身体に近づきすぎないよう制御する装置構を目視のみに頼っていたため、熱傷の危険をともなっていた。（特許文献２参照）【０００９】さらに、消耗素材から構成される発熱体の交換方法についても、発熱体を迅速かつ的確に交換できる装置構をそなえたものはなく、いずれも交換用の発熱体の保管性および携帯性を考慮しておらず、臨床の実際に対応するものではなかった。【００１０】
2011194199.tif 000007
問題があった。【００１１】また、ほかのベッドへ移動する際、あるいはほかの施術をおこなう際、治療スペースの限られた施術所における本体の安全な携帯や保管を保証したものはなく、臨床上の不便を生じさせていた。【００１２】本発明は、前記従来の課題を解決するもので、指の間に挟んで使用可能であり、環境に依拠しない使用ならびに携帯が可能で、消耗素材である発熱体の迅速かつ確実な交換および省スペースでの保管が可能な、もぐさ用点火装置を提供する事を目的とする。
【課題を解決するための手段】
【００１３】前記従来の課題を解決するために、本発明のもぐさ用点火装置は、電源供給口であるジャック６を側面に設け、発熱体保持部８を先端に、スイッチ２２を先端近傍に、主電源スイッチ１６を側面に、内蔵電池保持部１１とマイコン１７ならびに抵抗器１５を内部に設けた本体１と、最少単位で構成され着脱容易な発熱体３と、電源である電池２３と、電池２３を保持する電池保持部５と、前記電池保持部５と連結され、突起部２８を設けた本体保持部４から構成され、前記本体１を指の間で保持し、指のわずかな動きで電源のオンオフを可能とすることを特徴とするものである。【００１４】
2011194199.tif 000008
でき、指のわずかな動きでスイッチのオンオフを可能とし、被施術者への安全な点火動作を可能とし、作業空間に依拠しない省スペースでの保管ならびに移動時の安全な携帯を可能とし、発熱体３の迅速容易かつ安全な交換、保管ならびに携帯を可能とした優れたもぐさ用点火装置を提供する事ができる。【００１５】なお、電池保持部５と本体保持部４の連結には、柔軟性のある素材を使用すると、使用環境に依拠しない多様な本体１の保持が可能となる。【００１６】また、マイコン１７によるタイマーを設けることで、スイッチ２２のオンオフを加減する事が難しい場合においても発熱体３の消耗を最小限にとどめ、安全な施術を提供できる。【００１７】また、ジャック６を本体側面に配置することで、施術者の指の間から手の背面をコード２９が通り、これにより被施術者にコード２９があたることの不快感を取り除いた。【００１８】ジャック６と内蔵電池保持部１１により多様な電源供給が可能となった。
【発明の効果】
【００１９】以上の説明から明らかなように、本発明は上記した構成により、使用者が安全に施灸でき、指の間に保持し操作することで効率的かつ安全な施術を実現し、最少の部品で構成される発熱体により迅速かつ確実な交換を容易とすることで使い勝手の向上を図ることができ、使用環境に依拠しない本体の使用、携帯および移動が可能なもぐさ用点火装置を提供できる。
【発明を実施するための最良の形態】
【００２０】以下本発明を実施するための最良の形態について、図１、図２を用いて説明する。【００２１】
2011194199.tif 000009
接する発熱体３、本体保持部４、電池保持部５の４ブロックで構成されている。【００２２】本体１の電源供給を行うジャック６は端子Ｆ７で発熱体保持部８の端子Ｂ９と、端子Ｇ１０で内蔵電池保持部１１の端子Ｄ１２と、端子Ｈ１３は内蔵電池保持部１１の端子Ｅ１４ならびに抵抗器１５、主電源スイッチ１６、マイコン１７を導通した基板１８と導線１９によって電気的に接続される。【００２３】発熱体保持部８は発熱体３を囲い込む形で保持し、発熱体３の端子Ａ２０は発熱体保持部８の端子Ｂ９および端子Ｃ２１と電気的に接続される。【００２４】スイッチ２２は発熱体保持部８近傍に設けることで操作性が向上する。スイッチ２２を指の押圧でオンにすることで電池２３からジャック６を介して導線１９によって電力が供給され電熱線２４が発熱する。主電源スイッチ１６は本体の側面に設けるとよい。【００２５】外部からの電源供給を絶たれると内蔵電池保持部１１の電池２３から電源が供給される。【００２６】内蔵電池取り出し口２５は側面に設けるが、図４に示すように底面でもよい。【００２７】発熱部である電熱線２４の両端に端子Ａ２０を圧着し非導通体２６に固定することで電熱線２４自体を固定でき、保管性ならびに携帯性を確保した。またこれより、消耗品である発熱体３の交換を迅速かつ確実におこなうことができるようにした。特許請求の範囲においては電熱線２４、端子Ａ２０、非導通体２６を総称して発熱体３とした。発熱体３の挿入口となる本体１の発熱体保持部８には、端子Ｂ９ならびに端子Ｃ２１を設けた。【００２８】なお、発熱体３の交換時、本体１を一時的に作業台などに置く場合などは主電源スイッチ１６をオフにしておくことが望ましい。【００２９】電池２３を保持する電池保持部５は連結部２７を介して本体保持部４と一体化し多様な携帯を可能とした。本体保持部４には本体の収納時に強制的に主電源スイッチ１６を切るため突起部２８を設け、側面にはコード２９の長さを調節するコード長調節部３０を設ける。特許請求の範囲においては電池保持部５、連結部２７、本体保持部４を総称して一体型ケース３１としている。連結部２７には折り曲げに対応した布などが望ましい。また電池保持部５の底面には滑り止めを施すことが望ましい。滑り止めとなる素材にはゴム、シリコン、磁石などを用いることができる。【００３０】本体１を本体保持部４に収納する際は突起部２８の物理的な働きにより強制的に電力の供給が停止されるため安全な収納が可能である。【００３１】ジャック６を本体側面に設け、コード２９を手の背面を通るようにし、コードが被施術者の身体に接触することによる不快感を取り除いた。コード２９は状況に応じてコード長調節部３０に挟み込むことにより長さを適切に保つ事が出来る。【００３２】ジャック６は図にで示されるように本体１の末端に設けてもよい。【００３３】ジャック６には図５のようにプラグ３２を設けたＡＣアダプタ３３、ＵＳＢ電源ケーブル３４なども接続でき、状況に合わせた電源供給が可能である。【００３４】マイコン１７によるタイマー制御はスイッチ２２の押圧時間が４秒前後で切れるよう設定するとよい。【００３５】一体型ケース３１については、本体保持部４と電池保持部５の底面を合わせるように連結部２７で折り曲げ、電池保持部５を白衣のポケットやベルトの内側におさめることで、施術者の自由度を確保した本体１の収納および携帯が容易となる。バンドを用いることで上腕に携帯する場合には本体１を使用する方の腕に装着することが好ましい。鍼灸師は通常白衣などを着用するため、白衣が緩衝剤の役割を果たし、電池保持部５の圧迫によるストレスは生じない。またハンガー等につり下げたり、作業台等に置くことも可能とした。これにより、施術空間を有効に使うことができ、鍼術やマッサージなど他の施術への移行が容易となった。また、他の患者への施術のためにベッドを移動する際にも両手の自由を確保し安全な携帯できる。【００３６】図６にあるように、本体１を指の間に挟めるように小型にすることで保持する手の指先を
2011194199.tif 000010
本体１の指を挟む位置にスイッチ２２を取り付けることで、着火の際の不要な動作を減ら
2011194199.tif 000011
が可能となり、指を土台として近接動作を制御し、被施術者の不意の動きにも対応できることから、より安全な施灸が可能となった。
【産業状の利用可能性】
【００３７】本発明にかかるもぐさ用点火装置は、本体を指で挟んで保持し操作できること可能とし、
2011194199.tif 000012
八分灸や熱感緩和動作がおこなえるため、職業上灸の施術を行う場所で活用することが有用であるが、とくに煙を最小限に抑えたい訪問診療や、両手の自由を確保した携帯が可能であることから１名の鍼灸師が複数のベッドを担当する診療所、病棟で活用すると有用である。
【図面の簡単な説明】
【００３８】
【図１】本発明に係るもぐさ用点火装置を示す図
【図２】本発明のもぐさ用点火装置の要部断面図
【図３】本発明のもぐさ用点火装置の側面図
【図４】本発明のもぐさ用点火装置の底面図
【図５】本発明のもぐさ用点火装置に使用できる器具
【図６】
2011194199.tif 000013
【符号の説明】
【００３９】  １    本体
2011194199.tif 000014
３    発熱体
４    本体保持部
５    電池保持部
６    ジャック
７    端子Ｆ
８    発熱体保持部
９    端子Ｂ
１０    端子Ｇ
１１    内蔵電池保持部
１２    端子Ｄ
１３    端子Ｈ
１４    端子Ｅ
１５    抵抗器
１６    主電源スイッチ
１７    マイコン
１８    基板
１９    導線
２０    端子Ａ
２１    端子Ｃ
２２    スイッチ
２３    電池
２４    電熱線
２５    内蔵電池取り出し口
２６    非導通体
２７    連結部
２８    突起部
２９    コード
３０    コード長調節部
３１    一体型ケース
３２    プラグ
３３    ＡＣアダプタ
３４    ＵＳＢ電源ケーブル
【図１】
2011194199.tif 000015
【図２】
2011194199.tif 000016
【図３】
2011194199.tif 000017
【図４】
2011194199.tif 000018
【図５】
2011194199.tif 000019
【図６】
2011194199.tif 000020